(57)【要約】【課題】利便性を向上させた電子機器を提供する。【解決手段】電子機器１０は、第１孔１９を有する筐体１１と、第１孔１９と連通する筐体１１の内部空間１８に配置された電気音響変換器１３と、筐体１１の外面上に配置され第１孔１９を覆うシート部材１４と、電子機器１０の外観面２０を構成するパネル１７と、を備える。パネル１７は、外観面２０の一部分を構成する第１パネル部材１５と、外観面２０の他の部分を構成する第２パネル部材１６と、を有する。第１パネル部材１５は、シート部材１４を覆って配置されている。【選択図】図２
2018056720.tif 000002
【特許請求の範囲】
【請求項１】
電子機器であって、
第１孔を有する筐体と、
前記第１孔と連通する前記筐体の内部空間に配置された電気音響変換器と、
前記筐体の外面上に配置され、前記第１孔を覆うシート部材と、
前記電子機器の１つの外観面を構成するパネルと、を備え、
前記パネルは、前記外観面の一部分を構成する第１パネル部材と、前記外観面の他の部分を構成する第２パネル部材と、を有し、
前記第１パネル部材は、前記シート部材を覆って配置されている、電子機器。
【請求項２】
請求項１に記載の電子機器であって、
前記外観面は、長辺および短辺を有する矩形形状であり、
前記第１パネル部材は、前記外観面の長辺方向および短辺方向の双方において、前記シート部材および前記シート部材の近傍のみを覆って配置されている、電子機器。
【請求項３】
請求項２に記載の電子機器であって、
前記第１パネル部材は、
前記外観面の長辺方向において、前記長辺の長さよりも短く、
前記外観面の短辺方向において、前記短辺の長さよりも短い、電子機器。
【請求項４】
請求項１乃至３の何れか一項に記載の電子機器であって、
ディスプレイを更に備え、
前記第２パネル部材は、前記ディスプレイからの光を透過する表示領域を含む、電子機器。
【請求項５】
請求項１乃至４の何れか一項に記載の電子機器であって、
前記第１パネル部材は、接着部材を介して前記筐体の外面上に貼着されている、電子機器。
【発明の詳細な説明】
【技術分野】
【０００１】
本発明は、電子機器に関する。
【背景技術】
【０００２】
従来、マイクロフォンまたはスピーカ等の電気音響変換器を備える電子機器が知られている。例えば、特許文献１には、マイクを備える携帯端末装置が開示されている。
【先行技術文献】
【特許文献】
【０００３】
【特許文献１】特開２０１４−１２７８７８号公報
【発明の概要】
【発明が解決しようとする課題】
【０００４】
従来の電気音響変換器を備える電子機器には、利便性について改善の余地があった。
【０００５】
本発明の目的は、利便性を向上させた電子機器を提供することにある。
【課題を解決するための手段】
【０００６】
本発明の一実施形態に係る電子機器は、第１孔を有する筐体と、第１孔と連通する筐体の内部空間に配置された電気音響変換器と、筐体の外面上に配置され第１孔を覆うシート部材と、電子機器の外観面を構成するパネルと、を備える。パネルは、外観面の一部分を構成する第１パネル部材と、外観面の他の部分を構成する第２パネル部材と、を有する。第１パネル部材は、シート部材を覆って配置されている。
【発明の効果】
【０００７】
本発明の一実施形態に係る電子機器によれば、利便性が向上する。
【図面の簡単な説明】
【０００８】
【図１】本発明の一実施形態に係る電子機器の斜視図である。
【図２】電子機器の要部断面を示すＡ−Ａ断面図である。
【図３】シート部材、接着部材、および第１パネル部材の分解図である。
【発明を実施するための形態】
【０００９】
以下、本発明の一実施形態について、図面を参照して説明する。
【００１０】
図１を参照して、一実施形態に係る電子機器１０について説明する。電子機器１０は、例えばスマートフォンまたはタブレット端末等である。しかしながら、電子機器１０は、上述したものに限られず、例えばＰＣ（Personal Computer）等の任意の電子機器であってもよい。
【００１１】
図２に示すように、電子機器１０は、概略として、筐体１１と、ディスプレイ１２と、電気音響変換器１３と、シート部材１４と、第１パネル部材１５および第２パネル部材１６を含むパネル１７と、を備える。しかしながら、電子機器１０は、上述した構成要素に限られず、例えば物理キー等の入力デバイス、バッテリ、アンテナ、およびプロセッサ等、電子機器１０の動作に必要な任意の構成要素を更に備えてもよい。
【００１２】
筐体１１は、例えば樹脂材料又は金属材料等を用いて形成される。筐体１１は、例えばフロントケース、リアケース、およびバッテリカバー等の複数の部材で構成されてもよい。筐体１１は、１以上の内部空間１８を画定する。筐体の内部空間１８には、電子機器１０の動作に必要な種々の構成要素が固定的に配置され得る。例えば、筐体１１の内部空間１８には、ディスプレイ１２および電気音響変換器１３が配置される。
【００１３】
ディスプレイ１２は、例えば液晶ディスプレイ装置または有機ＥＬ（Electro-Luminescence）ディスプレイ装置等を含む。ディスプレイ１２は、多様な文字および図形を含む画像を表示可能である。ディスプレイ１２は、表示画像の投影光を発する。ディスプレイ１２は、第２パネル部材１６と一体的に設けられ、タッチスクリーンとして機能してもよい。
【００１４】
電気音響変換器１３は、音と電気信号とを相互に変換する機能を有する。具体的には、電気音響変換器１３は、マイクロフォン素子またはスピーカ素子を含んでもよい。一実施形態において、電気音響変換器１３は、例えばユーザの音声等の外部音を電気信号に変換するマイクロフォンとして機能する。他の実施形態において、電気音響変換器１３は、電気信号を音に変換して発するスピーカまたはレシーバとして機能してもよい。電気音響変換器１３は、例えば防水マイクロフォン、防水スピーカ、または防水レシーバとして機能してもよい。
【００１５】
電気音響変換器１３は、筐体１１に設けられた第１音通孔１９（第１孔）と連通する内部空間１８に配置される。電気音響変換器１３が配置される筐体１１の内部空間１８は、第１音通孔１９を介して筐体１１の外部空間と連通している。したがって、第１音通孔１９を介して、例えばユーザの音声等の外部音が電気音響変換器１３まで到達し、あるいは電気音響変換器１３によって発せられた音が筐体１１の外部空間まで到達する。
【００１６】
シート部材１４は、例えば防塵機能または防水機能を有するシート状の部材である。シート部材１４の一方の面の少なくとも一部の領域には、例えば両面テープ等の接着部材が設けられる。シート部材１４は、第１音通孔１９を覆うように、筐体１１の外面上に配置および貼着される。したがって、筐体１１に貼着されたシート部材１４は、第１音通孔１９を介して筐体１１の外部空間から内部空間１８へ異物が侵入することを抑制する。
【００１７】
パネル１７は、図１に示すように、電子機器１０の１つの外観面２０を構成する。一実施形態において、外観面２０は、長辺および短辺を有する矩形形状である。パネル１７に含まれる第１パネル部材１５は、外観面２０の一部分を構成する。パネル１７に含まれる第２パネル部材１６は、外観面２０の他の部分を構成する。すなわち、第１パネル部材１５および第２パネル部材１６が、電子機器１０の１つの外観面２０を構成する。外観面２０は、例えば電子機器１０の表側の面であってよい。外観面２０は、例えば段差の無い１つの平面であってもよいし、複数の平面を含んでもよい。外観面２０は、一部または全部が曲面であってよい。
【００１８】
第１パネル部材１５は、例えば樹脂材料、金属材料、またはガラス材料等を用いて形成される板状の部材である。図２および図３に示すように、第１パネル部材１５の一方の面の少なくとも一部の領域には、例えば両面テープ等の接着部材２１が設けられる。第１パネル部材１５は、上述したように筐体１１の外面上に貼着されたシート部材１４を覆うように、筐体１１の外面上に配置および貼着される。第１パネル部材１５によって覆われたシート部材１４は、電子機器１０の外観面２０上には表れない。
【００１９】
第１パネル部材１５には、第２音通孔２２（第２孔）が設けられてもよい。一実施形態において、第１パネル部材１５が筐体１１の外面上に貼着されると、第１パネル部材１５の第２音通孔２２と、筐体１１の第１音通孔１９とが重なる。かかる場合、第１音通孔１９および第２音通孔２２を介して、例えばユーザの音声等の外部音が電気音響変換器１３まで到達し、あるいは電気音響変換器１３によって発せられた音が筐体１１の外部空間まで到達する。
【００２０】
第１パネル部材１５は、筐体１１の上述した外観面２０の長辺方向および短辺方向の双方において、シート部材１４およびシート部材１４の近傍のみを覆って配置されている。具体的には、筐体１１に貼着された第１パネル部材１５の、外観面２０の長辺方向における長さが、外観面２０の長辺の長さよりも短い。筐体１１に貼着された第１パネル部材１５の、外観面２０の短辺方向における長さが、外観面２０の短辺の長さよりも短い。
【００２１】
第２パネル部材１６は、例えば樹脂材料、金属材料、またはガラス材料等を用いて形成される板状の部材である。第２パネル部材１６の面積は、第１パネル部材１５の面積よりも大きくてもよい。第２パネル部材１６の少なくとも一部の領域は、例えば透明部材で形成される。第２パネル部材１６の当該領域は、図１に示すように、ディスプレイ１２からの画像投影光を透過する表示領域２３として機能する。
【００２２】
以上述べたように、一実施形態に係る電子機器１０は、第１音通孔１９を有する筐体１１と、第１音通孔１９と連通する筐体１１の内部空間１８に配置された電気音響変換器１３と、筐体１１の外面上に配置されて第１音通孔１９を覆うシート部材１４と、電子機器１０の１つの外観面２０を構成するパネル１７と、を備える。パネル１７に含まれる第１パネル部材１５が、シート部材１４を覆って配置される。かかる構成によれば、以下に説明するように、電子機器１０の利便性が向上する。
【００２３】
従来の電子機器においては、例えばシート部材の剥離または損傷の発生を低減するために、シート部材を筐体の内面上（詳細には、内部空間を画定する内壁面上）に配置する場合がある。しかしながら、シート部材を筐体の内面上に配置した場合であっても、例えばシート部材の劣化等によって、シート部材を交換する必要が生じる場合がある。かかる場合、従来の電子機器においては、作業者は筐体を分解する必要がある。しかしながら、筐体の分解作業は、比較的作業負担が大きい。このため、シート部材を交換する作業者の作業負担が増大する場合があった。さらに、筐体の分解作業によって、例えば他の構成部材が破損する可能性がある。本来交換する必要の無い部材が破損した場合、当該部材を新しい部材に交換する必要がある。このため、シート部材の交換作業のコストが増大する可能性があった。
【００２４】
これに対して、一実施形態に係る電子機器１０によれば、シート部材１４が筐体１１の外面上に配置され、第１パネル部材１５がシート部材１４を覆って配置される。このため、シート部材１４を交換するために、作業者は筐体１１を分解する必要が無い。作業者は、第１パネル部材１５を筐体１１から取り除いてシート部材１４を交換可能である。したがって、シート部材１４を交換する作業者の作業負担が低減され、利便性が向上する。さらに、第１パネル部材１５によってシート部材１４が覆われているので、シート部材１４の剥離または損傷の発生が低減され、利便性がさらに向上する。
【００２５】
一実施形態において、電子機器１０の上述した外観面２０は、長辺および短辺を有する矩形形状である。第１パネル部材１５は、外観面２０の長辺方向および短辺方向の双方において、シート部材１４およびシート部材１４の近傍のみを覆って配置される。かかる構成によれば、シート部材１４の交換作業において、仮に第１パネル部材１５が破損した場合であっても、外観面２０全体と比較して小さい第１パネル部材１５を交換すればよい。したがって、例えば外観面２０を１つの大きなパネル部材で構成する電子機器と比較して、シート部材１４の交換作業のコストが低減され、利便性がさらに向上する。
【００２６】
一実施形態において、第１パネル部材１５は、接着部材２１を介して筐体１１の外面上に貼着される。かかる構成によれば、例えばネジ等の他の構成部材を用いて第１パネル部材１５を筐体１１の外面上に固定する構成と比較して、第１パネル部材１５を取り除く作業負担が小さく、利便性がさらに向上する。
【００２７】
本発明を諸図面や実施形態に基づき説明してきたが、当業者であれば本開示に基づき種々の変形や修正を行うことが容易であることに注意されたい。したがって、これらの変形や修正は本発明の範囲に含まれることに留意されたい。例えば、各構成要素に含まれる機能等は論理的に矛盾しないように再配置可能であり、複数の構成要素を１つに組み合わせたり、あるいは分割したりすることが可能である。
【００２８】
図２に示すように、第１パネル部材１５は、電子機器１０の厚み方向において、第２パネル部材１６よりも電子機器１０の外側に突出していてよい。かかる構成によれば、例えば外観面２０を下向きにして電子機器１０を机などの物体の上に置いたり、落下によって電子機器１０の外観面２０が床などの物体に衝突したりする際には、第１パネル部材１５の方が第２パネル部材１６よりも先に物体に接触し易い。このため、第２パネル部材１６が損傷しまたは破損する可能性が低減される。第２パネル部材１６の損傷および破損が生じなければ、仮に物体に接触した第１パネル部材１５が損傷しまたは破損したとしても、外観面２０に対して面積が比較的小さい第１パネル部材１５のみを交換すればよい。このため、電子機器１０の修理に関するコストが低減される。
【００２９】
また、第１パネル部材１５が突出した上記の構成によれば、例えば洗剤を用いて電子機器１０を洗う場合、外観面２０上を水で濯ぐ際に洗浄成分が含まれた洗浄溶液が、第１パネル部材１５よりも第２パネル部材１６上を流れ易くなり、第１パネル部材１５上を流れ難くなる。これにより、洗浄溶液が第１パネル部材１５の第２音通孔２２を介してシート部材１４中に入り込む可能性が低減される。また、シート部材１４における洗浄成分の残留および固化によるシート部材１４の目詰まりの発生が低減される。
【００３０】
また、第１パネル部材１５は、外観面２０の長辺方向および短辺方向の双方において、シート部材１４およびシート部材１４の近傍のみを覆う程度に小さくてよい。かかる構成によれば、例えば洗剤を用いて電子機器１を洗う場合、ユーザの指で第２音通孔２２を覆うことが容易であるとユーザに観念させ易くなる。このため、ユーザが指で第２音通孔２２を覆う蓋然性が向上し、洗浄溶液が第２音通孔２２を介してシート部材１４中に入り込む可能性が低減される。また、シート部材１４における洗浄成分の残留および固化によるシート部材１４の目詰まりの発生が低減される。
【符号の説明】
【００３１】
１０    電子機器
１１    筐体
１２    ディスプレイ
１３    電気音響変換器
１４    シート部材
１５    第１パネル部材
１６    第２パネル部材
１７    パネル
１８    内部空間
１９    第１音通孔
２０    外観面
２１    接着部材
２２    第２音通孔
２３    表示領域
【図１】
2018056720.tif 000003
【図２】
2018056720.tif 000004
【図３】
2018056720.tif 000005
【手続補正書】
【提出日】平成29年7月12日(2017.7.12)
【手続補正１】
【補正対象書類名】特許請求の範囲
【補正対象項目名】全文
【補正方法】変更
【補正の内容】
【特許請求の範囲】
【請求項１】
電子機器であって、
第１孔を有する筐体と、
前記第１孔と連通する前記筐体の内部空間に配置された電気音響変換器と、
前記筐体の外面上に配置され、前記第１孔を覆うシート部材と、
前記電子機器の１つの外観面を構成するパネルと、を備え、
前記パネルは、前記外観面の一部分を構成する第１パネル部材と、前記外観面の他の部分を構成する第２パネル部材と、を有し、
前記第１パネル部材は、前記シート部材を覆って配置されるとともに、前記外観面に垂直な方向において前記第２パネル部材よりも前記電子機器の外側に突出する、電子機器。
【請求項２】
請求項１に記載の電子機器であって、
前記外観面は、長辺および短辺を有する矩形形状であり、
前記第１パネル部材は、前記外観面の長辺方向および短辺方向の双方において、前記シート部材および前記シート部材の近傍のみを覆って配置されている、電子機器。
【請求項３】
請求項２に記載の電子機器であって、
前記第１パネル部材は、
前記外観面の長辺方向において、前記長辺の長さよりも短く、
前記外観面の短辺方向において、前記短辺の長さよりも短い大きさを有するとともに、前記第１パネル部材の一部が前記外観面の外郭の一部を構成する、電子機器。
【請求項４】
請求項１乃至３の何れか一項に記載の電子機器であって、
ディスプレイを更に備え、
前記第２パネル部材は、前記ディスプレイからの光を透過する表示領域を含む、電子機器。
【請求項５】
請求項１乃至４の何れか一項に記載の電子機器であって、
前記第１パネル部材は、両面テープを介して前記筐体の外面上に貼着されるとともに、前記第１パネル部材を前記筐体から取り除くと前記シート部材における前記筐体に配置される面とは反対側の面の全面が外部に露出する、電子機器。
【請求項６】
請求項１乃至５の何れか一項に記載の電子機器であって、
前記電気音響変換器は、前記筐体における前記内部空間を画定する内面と、前記シート部材と、のそれぞれから離れている、電子機器。
【手続補正２】
【補正対象書類名】明細書
【補正対象項目名】０００６
【補正方法】変更
【補正の内容】
【０００６】
本発明の一実施形態に係る電子機器は、第１孔を有する筐体と、第１孔と連通する筐体の内部空間に配置された電気音響変換器と、筐体の外面上に配置され第１孔を覆うシート部材と、電子機器の外観面を構成するパネルと、を備える。パネルは、外観面の一部分を構成する第１パネル部材と、外観面の他の部分を構成する第２パネル部材と、を有する。第１パネル部材は、シート部材を覆って配置されるとともに、外観面に垂直な方向において第２パネル部材よりも電子機器の外側に突出する。
」
【手続補正書】
【提出日】平成29年12月7日(2017.12.7)
【手続補正１】
【補正対象書類名】特許請求の範囲
【補正対象項目名】全文
【補正方法】変更
【補正の内容】
【特許請求の範囲】
【請求項１】
電子機器であって、
第１孔を有する筐体と、
前記第１孔と連通する前記筐体の内部空間に配置された電気音響変換器と、
前記筐体の外面上に配置され、前記第１孔を覆うシート部材と、
前記電子機器の１つの外観面を構成するパネルと、を備え、
前記パネルは、前記外観面の一部分を構成する第１パネル部材と、前記外観面の他の部分を構成する第２パネル部材と、を有し、
前記第１パネル部材は、
前記シート部材を覆って配置されるとともに、前記外観面に垂直な方向において前記第２パネル部材よりも前記電子機器の外側に突出し、
両面テープを介して前記筐体の外面上に貼着されるとともに、前記第１パネル部材を前記筐体から取り除くと前記シート部材における前記筐体に配置される面とは反対側の面の全面が外部に露出する、電子機器。
【請求項２】
請求項１に記載の電子機器であって、
前記外観面は、長辺および短辺を有する矩形形状であり、
前記第１パネル部材は、前記外観面の長辺方向および短辺方向の双方において、前記シート部材および前記シート部材の近傍のみを覆って配置されている、電子機器。
【請求項３】
請求項２に記載の電子機器であって、
前記第１パネル部材は、
前記外観面の長辺方向において、前記長辺の長さよりも短く、
前記外観面の短辺方向において、前記短辺の長さよりも短い大きさを有するとともに、前記第１パネル部材の一部が前記外観面の外郭の一部を構成する、電子機器。
【請求項４】
請求項１乃至３の何れか一項に記載の電子機器であって、
ディスプレイを更に備え、
前記第２パネル部材は、前記ディスプレイからの光を透過する表示領域を含む、電子機器。
【請求項５】
請求項１乃至４の何れか一項に記載の電子機器であって、
前記電気音響変換器は、前記筐体における前記内部空間を画定する内面と、前記シート部材と、のそれぞれから離れている、電子機器。
【手続補正２】
【補正対象書類名】明細書
【補正対象項目名】０００６
【補正方法】変更
【補正の内容】
【０００６】
本発明の一実施形態に係る電子機器は、第１孔を有する筐体と、第１孔と連通する筐体の内部空間に配置された電気音響変換器と、筐体の外面上に配置され第１孔を覆うシート部材と、電子機器の外観面を構成するパネルと、を備える。パネルは、外観面の一部分を構成する第１パネル部材と、外観面の他の部分を構成する第２パネル部材と、を有する。第１パネル部材は、シート部材を覆って配置されるとともに、外観面に垂直な方向において第２パネル部材よりも電子機器の外側に突出し、両面テープを介して前記筐体の外面上に貼着されるとともに、前記第１パネル部材を前記筐体から取り除くと前記シート部材における前記筐体に配置される面とは反対側の面の全面が外部に露出する。